(57)【要約】【課題】蒸気配管系からトラップを取外さずに、スクリーンの洗浄の要否を確認できると共にスクリーンを洗浄できるオリフィス式スチームトラップを提供する。【解決手段】入口側部材１と出口側部材２でトラップケーシングを形成する。入口側部材１に入口３を出口側部材２に出口４を形成し、両口の間に流通孔６を有する弁ボール７を回転可能に配置する。流通孔６内にオリフィス１４を有する隔壁部材１５を設ける。オリフィス１４の一方の開口端側の流通孔６内に第１スクリーン１６を取り付け、他方の開口端側の流通孔６内に第２スクリーン１７を取り付ける。第１スクリーン１６の前後に圧力検出部１８と圧力検出部１９を設けて演算部２０と接続する。演算部２０は圧力検出部１８と圧力検出部１９の差圧を検出して表示すると共に差圧が所定値以上のときに警報を発する。【選択図】図１
2004190827.tif 000002
【特許請求の範囲】
【請求項１】
トラップケーシングに形成した入口と出口の間に流通孔を有する弁ボールを回転可能に配置し、弁ボールの流通孔内にオリフィスを有する隔壁部材を設け、オリフィスの一方の開口端側の流通孔内に第１スクリーンを他方の開口端側の流通孔内に第２スクリーンを設け、第１スクリーンの前後の差圧を検出する差圧検出手段を設け、差圧を表示する差圧表示手段あるいは差圧が所定値以上のときに警報を発する警報手段を設けたことを特徴とするオリフィス式スチームトラップ。
【発明の詳細な説明】
【０００１】
【発明の属する技術分野】
本発明は、蒸気輸送管や蒸気使用機器等の蒸気配管系に発生する蒸気が凝縮した復水を常時開孔している小径のオリフィスから自動的に系外に排出するオリフィス式スチームトラップに関し、特に、オリフィスの入口側にスクリーンを設けたものに関する。
【０００２】
【従来の技術】
【特許文献１】
特開２００１−２７３８９
従来のスクリーンを備えたオリフィス式スチームトラップは、例えば、特開２００１−２７３８９に示されている。ここに開示されたものは、トラップケーシングに形成した入口と出口の間にオリフィスを有する隔壁部材を設け、オリフィスの入口側にスクリーンを設け、入口側の異物をスクリーンで捕捉して復水をオリフィスから出口側に排出するものである。
【０００３】
【発明が解決しようとする課題】
上記従来のオリフィス式スチームトラップでは、スクリーンで捕捉した異物を取り除くために、蒸気配管系からトラップを取外してスクリーンを洗浄しなければならない問題点があった。また、蒸気配管系からトラップを取外さなければ洗浄の要否を確認できない問題点があった。本発明は、従来技術の上記した問題点に注目し、蒸気配管系からトラップを取外さずに、スクリーンの洗浄の要否を確認できると共にスクリーンを洗浄できるオリフィス式スチームトラップを提供することを技術的課題とする。
【０００４】
【課題を解決するための手段】
上記の技術的課題を解決するために講じた本発明の技術的手段は、トラップケーシングに形成した入口と出口の間に流通孔を有する弁ボールを回転可能に配置し、弁ボールの流通孔内にオリフィスを有する隔壁部材を設け、オリフィスの一方の開口端側の流通孔内に第１スクリーンを他方の開口端側の流通孔内に第２スクリーンを設け、第１スクリーンの前後の差圧を検出する差圧検出手段を設け、差圧を表示する差圧表示手段あるいは差圧が所定値以上のときに警報を発する警報手段を設けたことを特徴とするオリフィス式スチームトラップにある。
【０００５】
【発明の実施の形態】
本発明のオリフィス式スチームトラップは、弁ボールを回転操作して、通常は第１スクリーンを入口側に第２スクリーンを出口側に対向させ、入口側の異物を第１スクリーンで捕捉して復水をオリフィスから第２スクリーンを通して出口側に排出する。第１スクリーンで捕捉された異物が多くなると第１スクリーンの前後の差圧が大きくなるので、差圧が表示されあるいは差圧が所定値以上のときに警報が発せられることにより、第１スクリーンの洗浄の要否を確認できる。第１スクリーンを洗浄する場合は、弁ボールを回転操作して、第２スクリーンを入口側に第１スクリーンを出口側に対向させ、入口側の異物を第２スクリーンで捕捉して復水をオリフィスから第１スクリーンを通して出口側に排出すると共に第１スクリーンで捕捉していた異物を出口側に排除する。このように、蒸気配管系からトラップを取外さずに、スクリーンの洗浄の要否を確認できると共にスクリーンを洗浄できる。
【０００６】
【実施例】
上記の技術的手段の具体例を示す実施例を説明する（図１参照）。入口側部材１に出口側部材２をねじ結合してトラップケーシングを形成する。入口側部材１に入口３を形成し、出口側部材２に入口３と同軸上の出口４を形成し、トラップケーシング内に入口３と出口４の連通する弁室５を形成する。
【０００７】
弁室５内に流通孔６を有する弁ボール７を配置する。流通孔６は入口３と出口４と同軸上に形成する。弁ボール７の入口３側に環状弁座８を出口４側に環状弁座９を配置する。弁ボール７にキー溝１０を設けて、本体１を貫通する弁軸１１の下端のキー部１２を係合させる。弁軸１１にはハンドル（図示せず）を取り付けて、弁ボール７を回転可能にする。本体１と弁軸１１の間に気密保持用のガスケット１３を介在させる。
【０００８】
流通孔６内にオリフィス１４を有する隔壁部材１５を弁ボール７に一体に設ける。オリフィス１４の一方の開口端側の流通孔６内にゴミ等の異物を捕捉する第１スクリーン１６を止め輪で取り付け、他方の開口端側の流通孔６内にゴミ等の異物を捕捉する第２スクリーン１７を止め輪で取り付ける。第１スクリーン１６の前後に圧力検出部１８と圧力検出部１９を設けて演算部２０と接続する。演算部２０は圧力検出部１８と圧力検出部１９の差圧を検出して表示すると共に差圧が例えば０.３ｋｇ／ｃｍ２以上のときに警報を発する。
【０００９】
通常は第１スクリーン１６を入口３側に第２スクリーン１７を出口４側に対向させて使用する。入口２側の異物は第１スクリーン１６で捕捉され復水はオリフィス１４から第２スクリーン１７を通して出口側に排出される。第１スクリーン１６で捕捉された異物が多くなると第１スクリーン１６の前後の差圧が大きくなるので、演算部２０に差圧が表示されることによりあるいは差圧が所定値以上のときに警報が発せられることにより、第１スクリーン１６の洗浄の要否を確認できる。そして、第１スクリーン１６を洗浄する場合は、弁ボール７を回転操作して、第２スクリーン１７を入口３側に第１スクリーン１６を出口４側に対向させる。入口３側の異物は第２スクリーン１７で捕捉され復水はオリフィス１４から第１スクリーン１６を通して出口４側に排出されると共に第１スクリーン１６で捕捉していた異物は出口３側に排除される。
【００１０】
【発明の効果】
上記のように本発明によるオリフィス式スチームトラップは、第１スクリーンの前後の差圧に基づいて、弁ボールを回転操作し、第１スクリーンで捕捉していた異物を出口側に排除するので、蒸気配管系からトラップを取外さずに、スクリーンの洗浄の要否を確認できると共にスクリーンを洗浄できるという優れた効果がある。
【図面の簡単な説明】
【図１】本発明のオリフィス式スチームトラップの実施例の断面図である。
【符号の説明】
１  入口側部材
２  出口側部材
３  入口
４  出口
５  弁室
６  流通孔
７  弁ボール
１１  弁軸
１４  オリフィス
１５  隔壁部材
１６  第１スクリーン
１７  第２スクリーン
１８，１９  圧力検出部
２０  演算部
【図１】
2004190827.tif 000003